(57)【特許請求の範囲】
【請求項１】
データを記憶するＩＣチップと当該データを電磁波を用いて非接触で送受信するアンテナとが回路基板上に形成され、封止材にて封止されてなるＩＣタグと、
合成樹脂にて成形され、ＩＣタグ収納部を中心にしてその両端部からベルト部を延伸させてなるリストバンド本体と、
前記ＩＣタグ収納部は、前記両ベルト部よりも厚肉であって、表面側に近接する位置に前記ＩＣタグを収納する凹部が形成されており、
前記凹部は、前記ＩＣタグ収納部の背面側から断面Ｔ字状の切り込みにより形成されている
ことを特徴とするRF−ID用リストバンド。
【発明の詳細な説明】
【０００１】
【発明の属する技術分野】
本発明は、データの読み書きに電磁波を利用したRF−ID用リストバンドに関する。
【０００２】
【従来の技術】
従来、非接触ＩＣタグの応用分野として、工場内で作業者が入退場に利用したり、稼働時間を管理するため機械に作業者を登録したりする場合に、タグの情報を読み取ることにより用いられていた。この場合、タグを作業服等の衣服に取り付けたり、定期券のようにカード型のタグを携帯したり、カード型のタグをケースに入れてこのケースを衣服に止める等して用いられていた。
【０００３】
【発明が解決しようとする課題】
前記の第１の例では、作業服を着替える度にタグを取り付け直すか、作業服の枚数分だけタグを用意する必要がある。またこのタグは電源を搭載していないので、読取器から電磁波によりＩＣチップの作動電源を得るために、読取器とタグとの通信距離は、一般には数ｃｍから数十ｃｍ程度しか取れない。このために読取の際に読取器に人が近づかなければならない。また、第２及び第３の例では、カード型のタグを読取器に近づける時に落したり、カードを持つ位置によっては読み取りエラーとなってやり直さなければならないことがあり、煩雑である。
【０００４】
そこで本発明は、ＩＣタグを読取器に近づけ易く、また、電磁波が人体に吸収されて通信距離が短くならないように、ＩＣタグを人体から所定の距離だけ離しておくようにしたRF−ID用リストバンドを提供する。
【０００５】
【課題を解決するための手段】
本発明のRF−ID用リストバンドは、データを記憶するＩＣチップと当該データを電磁波を用いて非接触で送受信するアンテナとが回路基板上に形成され、封止材にて封止されてなるＩＣタグと、合成樹脂にて成形され、ＩＣタグ収納部を中心にしてその両端部からベルト部を延伸させてなるリストバンド本体と、前記ＩＣタグ収納部は、前記両ベルト部よりも厚肉であって、表面側に近接する位置に前記ＩＣタグを収納する凹部が形成されており、前記凹部は、前記ＩＣタグ収納部の背面側から断面Ｔ字状の切り込みにより形成されていることを特徴としている。この構成によって、ＩＣタグを読取器に近づける動作がし易く、また、電磁波が人体に吸収されないので通信距離が短くならない。
【０００６】
（削除）
【０００７】
【発明の実施の形態】
本発明の実施の一形態について、図面を参照して説明する。
【０００８】
本発明は、リストバンド本体１と、このリストバンド本体１に装着されたＩＣタグ２とからなっている。図１及び図２に示すように、リストバンド本体１はシリコンゴムを射出成形して作られており、中央部にＩＣタグ収納部１１と、その両端から取付ベルト部１２と、調整ベルト部１３とが延伸している。このＩＣタグ収納部１１は、ベルト部１２、１３よりも厚肉に形成してある。図３にＩＣタグ２の一例を示している。即ち、ＰＥＴフィルムで作られている回路基板２１上に、ＩＣチップ２２が搭載され、アンテナ２３が回路基板２１上の配線パターンでループ状に構成され、これらをパッキングシート２４で完全に密封して、耐水性を持ったＩＣタグ２としている。
【０００９】
ＩＣタグ収納部１１は、電磁波が人体に吸収されないために必要な所定の厚みに形成してあり、その表面側に近接してＩＣタグ２を納める凹部１１ａが形成してある。この結果、人体とＩＣタグ２との距離は８ｍｍ以上確保されている。図４に凹部１１ａの一例を示している。この凹部１１ａは、背面に挿入口１１ｂを開口させ、全体として断面Ｔ字状の切り込みにより形成されている。即ち、ＩＣタグ収納部１１の背面側からＩＣタグ２を挿入するための挿入口１１ｂが設けてあり、挿入口１１ｂの前端に全体としてＴ字状を為すように凹部１１ａを設けたものである。そこで、リストバンド本体１を腕に巻きつける方向と反対側に屈曲させると、挿入口１１ｂが広がるので、ＩＣタグ２を先ずその一端部を凹部１１ａへ挿入し、次いで他端部を凹部１１ａへ挿入することで、ＩＣタグ２を凹部１１ａ内へ完全に収納することができる。この収納状態では、ＩＣタグ収納部１１を厚肉にしてあるために、ＩＣタグ２は腕の表面から所定の距離だけ離れて保持され、送信された電磁波が人体に吸収されることがないようになっている。
【００１０】
図５に示すように、取付ベルト部１２は、先端部に腕に向かって屈曲する屈曲部１２ａが設けてあり、この屈曲状態で上下に貫通するようにベルトの挿通孔１２ｂが形成されている。したがって挿通孔１２ｂは、取付ベルト部１２の面に対して調整ベルト部１３の挿入方向に傾斜した孔となる。
【００１１】
図１及び図２に示すように、調整ベルト部１３は、腕に掛け回されてその先端から挿通孔１２ｂに挿通され、長さを調整して腕に装着されるものである。その外周面に凸部１３ａが整列して形成してあり、挿通孔１２ｂに一旦挿入された後では脱出し難いようにしてある。また、先端部に係止片１３ｂが形成してあり、挿通孔１２ｂに挿入し易く、かつ取付ベルト部１２に貫通させた保持リング１４から抜け難いように半楕円形としてある。図６に示すように、調整ベルト部１３は、挿通孔１２ｂがベルトの面に対して傾斜していることから、挿入しやすく、挿入した後の状態もベルトの流れに沿うように安定し、ベルト部が腕に近づくようにして浮き上がりを防いでいる。
【００１２】
図７はＩＣタグ２を納める凹部の他の形態を示している。即ち、ＩＣタグ収納部１１に、裏面に開口する箱状の凹部１１ｃが表面近くまで深く形成してある。ＩＣタグ２はこの凹部１１ｃの底（リストバンド本体１の表面に近い位置）に収納し、図示しないがポッティング加工をしてＩＣタグ２を封止する。これによりＩＣタグ２が密封され、耐水性を増し、耐衝撃性も向上する。ポッティング樹脂は箱状の凹部１１ｃの全体を満たす程に設ける必要はなく、ＩＣタグ２を封止するに十分な量であればよい。これにより軽量化が図れる。
【００１３】
図８はＩＣタグ２を納める凹部の他の形態を示している。即ち、ＩＣタグ収納部１１には、表面に近い位置に側面に開口する凹部１１ｄが形成されたものである。ＩＣタグ２は、リストバンド本体１を伸長させた状態でこの凹部１１ｄに側面側から挿入する。ＩＣタグ２は側面側から挿入されただけであるが、リストバンド本体１は腕に装着されることにより腕に沿うように僅かに湾曲するので、ＩＣタグ２は凹部１１ｄの内面に摩擦的に安定して保持され、側面から脱出することはない。
【００１４】
なお、前記の例ではリストバンド本体１にシリコンゴムを用いているので、軽くて汚れ難く、装着感がよくて水洗いも可能であるが、これに限られるものでなく、例えば、ポリウレタン等他の合成樹脂を用いることも可能である。
【００１５】
【発明の効果】
このように本発明によれば、リストバンド本体のＩＣタグ収納部を厚肉に形成し、その表面側に近接する位置にＩＣタグを収納するので、ＩＣタグを人体から所定の距離だけ確実に離すことができ、必要な通信距離が確保できる。ＩＣタグはリストバンド本体に設けられているので、読取器に近づけることが容易であり、読取エラーが発生することが無く、カード型のようにＩＣタグを落す等のこともない。
【図面の簡単な説明】
【図１】  本発明の実施の一形態を示す正面図である。
【図２】  腕に巻かれる状態の拡大斜視図である。
【図３】  ＩＣタグの拡大斜視図である。
【図４】  凹部の一例を示す拡大断面図である。
【図５】  取付ベルト部の先端部を示す拡大断面図である。
【図６】  取付ベルト部に調整ベルト部を連結する状態の拡大斜視図である。
【図７】  凹部の他の例を示す拡大斜視図である。
【図８】  凹部の更に他の例を示す拡大斜視図である。
【符号の説明】
１                リストバンド本体
１１              ＩＣタグ収納部
１１ａ，１１ｂ    断面Ｔ字状の凹部
１１ｃ            背面に開口の凹部
１１ｄ            側面に開口の凹部
１２，１３        ベルト部
２                ＩＣタグ
２１              回路基板
２２              ＩＣチップ
２３              アンテナ
２４              封止材
【図１】
0003883896.tif 000002
【図２】
0003883896.tif 000003
【図３】
0003883896.tif 000004
【図４】
0003883896.tif 000005
【図５】
0003883896.tif 000006
【図６】
0003883896.tif 000007
【図７】
0003883896.tif 000008
【図８】
0003883896.tif 000009